(57)【要約】【課題】回路基板から突出する多数の端子と、簡単に位置決め保持でき、コネクタ接続時に前記端子および端子を接続した回路基板の変形および損傷発生を防止する。【解決手段】端子を収容した複数のコネクタを積層している積層型のコネクタブロックと、前記コネクタブロックが挿入係止されるケースと、前記ケース内に装着され、前記コネクタの端子と接続する端子を導体パターンと接続して突設している回路基板と、前記回路基板と前記積層型コネクタブロックとの間に移動可能に配置される多数の端子孔を設けたムービングプレートを備え、前記ムービングプレートの各端子孔に、前記回路基板から突設した各端子を夫々貫通させて前記コネクタブロック側の端子収容室へ挿入して、回路基板の端子とコネクタとを接続している。【選択図】図１
2008131843.tif 000002
【特許請求の範囲】
【請求項１】
端子を収容した複数のコネクタを積層している積層型のコネクタブロックと、
前記コネクタブロックが挿入係止されるケースと、
前記ケース内に装着され、前記コネクタの端子と接続する端子を導体パターンと接続して突設している回路基板と、
前記回路基板と前記積層型コネクタブロックとの間に移動可能に配置される多数の端子孔を設けたムービングプレートを備え、
前記ムービングプレートの各端子孔に、前記回路基板から突設した各端子を夫々貫通させて前記コネクタブロック側の端子収容室へ挿入していることを特徴とする電気接続箱。
【請求項２】
前記ムービングプレートの各端子孔には、少なくとも前記端子の挿入側の開口に、テーパ状に広がる誘い部を設けている請求項１に記載の電気接続箱。
【請求項３】
前記ケースは底壁と周壁とを有すると共に前記コネクタブロックの挿入側が開口したボックス形状で、前記端子を突設した回路基板を前記開口から挿入して底壁の内面側に内嵌固定していると共に、前記開口から前記ムービングプレートを挿入している請求項１または請求項２に記載の電気接続箱。
【請求項４】
前記ケースは周壁を備え、前記コネクタブロックの挿入側および該挿入側との対向側が開口したボックス形状で、前記対向側の開口を閉鎖するロアカバーを備え、
前記ロアカバーに前記回路基板を固定すると共に、該回路基板から突設した端子を前記端子孔に貫通させてムービングプレートを装着し、
前記ムービングプレートと回路基板を取り付けた前記ロアカバーを前記ケースに組みつけている請求項１または請求項２に記載の電気接続箱。
【請求項５】
前記積層する各コネクタはそれぞれ偏平な直方体状のコネクタハウジング内に、電線端末に接続したメス端子を一列に収容し、前記コネクタハウジングの外面の四隅両面に凹凸部を設け、隣接するコネクタハウジングの凹凸部を嵌合して積層状態として組み付け、該組み付け状態で前記電線端末の端子が縦横方向に間隔をあけて配置している一方、
前記回路基板はプリントサーキッドボード（ＰＣＢ）からなり、該回路基板の印刷導体パターンからピン状端子を縦横方向に間隔をあけて突設している請求項１乃至請求項４のいずれか１項に記載の電気接続箱。
【請求項６】
前記ケースには、前記コネクタブロックの挿入側の開口を囲む周壁で且つコネクタブロックの積層方向と対応する両側周壁に、薄肉ヒンジ部を介して押さえ部を突設し、前記コネクタブロックをケース内に挿入後に前記押さえ部を回転させて前記コネクタブロックの電線接続側の先端面を係止している請求項１乃至請求項５のいずれか１項に記載の電気接続箱。
【請求項７】
前記ケース内に挿入したコネクタブロックは、その電線接続側の先端側にコ字状の押さえ材を横断的に取り付け、該押さえ材の両側に設けたロック部を前記ケースの外面に設けた被ロック部と結合している請求項１乃至請求項５のいずれか１項に記載の電気接続箱。
【発明の詳細な説明】
【技術分野】
【０００１】
本発明は、自動車用の電気接続箱に関し、詳しくは、ケース内部に収容するプリント基板から突設した端子を多数枚積層してブロック化したコネクタと接続し、これらコネクタに接続したワイヤハーネスを分岐接続するものである。
【背景技術】
【０００２】
従来、この種の電気接続箱として、特開２００４−２４８４０１号公報において、図７（Ａ）（Ｂ）（Ｃ）に示す電気接続箱が提供されている。該電気接続箱は図７（Ａ）に示すように、ケース１００の基壁１００ａの外面からケースカバー１０１で保持する回路形成体１０２を配置し、前記基壁１００ａに穿設した雄端子挿通穴１００ｂに回路形成体１０２より突設した雄端子１０３を挿通し、雄端子挿通穴１００ｂのうちの中央の挿通穴を小形として位置決め基準穴１００ｃとし、該位置決め基準穴１００ｃに小さい隙間を介して雄端子１０３を通して、回路形成体１０２を所定位置に誘導して保持する構成とすることが開示されている。
前記雄端子１０３には、積層される多数のコネクタ１０５をケース１００に嵌合して、各コネクタ１０５内の端子収容室内に雄端子１０３を挿入し、これら端子収容室内に挿入係止される電線端末の雌端子を嵌合接続している。
前記多数のコネクタ１０５は、それぞれケース１００に設けられた係合爪部１００ｄと係合する係合凹部１０５ａを設け、夫々ケース１００にロック結合されている。
【０００３】
【特許文献１】特開２００４−２４８４０１号公報
【発明の開示】
【発明が解決しようとする課題】
【０００４】
前記電気接続箱では、回路形成体１０２の雄端子をケース１００にセットする際に、ケースの基壁１００ａに形成した雄端子挿入穴に挿通させてケースカバー１００内部に突出させ、その際、小さな基準穴１００ｃを設けて雄端子１０３を挿入すると記載されている。しかしながら、図７（Ｃ）に示されているように、雄端子１０３の長さが同等とされている場合、小さい基準穴１００ｃには他の雄端子挿通穴１００ｂに比較して雄端子１０３が挿通しにくくなる。よって、特許文献１に記載のような、「位置決め基準穴１００ｃに小さい隙間を通して雄端子１０３を通して、回路形成体１０２を所定位置に誘導して保持する構成とする」のか不明である。
また、基準穴１００ｃを含めて端子挿通穴１００ｂはケース１００の基壁１００ａに形成されているため、基壁１００ａから比較的長い寸法で突出させた多数のピン状の雄端子を同時に各端子挿通穴１００ｂに挿通する作業は、位置合わせ精度を高めないと、雄端子に変形や損傷が発生しやすくなる。
かつ、回路形成体から突出する多数の雄端子は大きな雄端子挿通孔１００ｂを通して突出しているだけであるため、位置精度が悪くともコネクタ側の端子収容室内に挿入でき、該端子収容室内の雌端子と半嵌合となる危険性がある。
【０００５】
さらに、特許文献１では、積層する多数のコネクタ１０５の両側壁に夫々係合凹部１０５ａを設けてケース１００側の係合爪部１００ｄにそれぞれ係合してロック結合され、各コネクタ１０５が夫々ケース１００内に挿入されると記載されている。このように、各コネクタ１０５を夫々ケース１００にロック結合する構成とすると、コネクタ側およびケース側のいずれも複雑な構成となると共に、多数のコネクタ１０５を個別にケース内に挿入すると作業手数がかかる問題もある。
【０００６】
本発明は前記した問題に鑑みてなされたもので、回路基板から突出する多数の端子を簡単に位置決め保持しながらコネクタ接続できるようにし、コネクタ接続時に端子、ひいては端子を接続した回路基板の変形および損傷発生を防止することを課題としている。
【課題を解決するための手段】
【０００７】
前記課題を解決するため、本発明は、端子を収容した複数のコネクタを積層している積層型のコネクタブロックと、
前記コネクタブロックが挿入係止されるケースと、
前記ケース内に装着され、前記コネクタの端子と接続する端子を導体パターンと接続して突設している回路基板と、
前記回路基板と前記積層型コネクタブロックとの間に移動可能に配置される多数の端子孔を設けたムービングプレートを備え、
前記ムービングプレートの各端子孔に、前記回路基板から突設した各端子を夫々貫通させて前記コネクタブロック側の端子収容室へ挿入していることを特徴とする電気接続箱を提供している。
【０００８】
前記のように、本発明では、回路基板をケース内に装着して固定しているため、特許文献１のように、ケースの基壁に設けた端子穴に回路基板から突設した端子を挿通する構成としていない。よって、特許文献１で必要とされる回路基板から突出させた端子をケースの端子穴への挿入作業は不要としている。
一方、ケース内部に固定される回路基板のコネクタ嵌合側にムービングプレートを移動可能に配置し、回路基板から突出させた端子をムービングプレートの端子孔に挿通させて各端子の位置決めし、この状態でコネクタブロックの端子収容室に挿入してコネクタ側の端子と接続している。
このように、多数の端子を夫々端子孔を通して位置決め保持するプレートをムービングプレートとしていることにより、端子に変形や損傷等を発生させることなく、精度良く位置決め保持してコネクタ側の端子と接続することができる。
【０００９】
前記ムービングプレートの各端子孔には、少なくとも前記端子の挿入側の開口に、テーパー状に広がる誘い部を設けていることが好ましい。
このように、誘い部を設けると、ムービングプレート内に回路基板から突設した端子が貫通する際に、端子の変形や損傷発生を防止でき、スムーズに位置合わせすることができる。なお、前記テーパー状に広がる誘い部を端子孔の両端開口に設けておくと、組みつけ時にムービングプレートの挿入方向に注意を払う必要がなくなり、組付作業性を高めることができる。
【００１０】
本発明の電気接続箱は、前記ケース内部の全面にわたって回路基板を横架するように固定し、前記回路基板とコネクタブロックのみを内部に装着しているもので、バスバー、ヒューズ、リレー等を収容する大型の電気接続箱（メイン電気接続箱）の内部に組み込まれるサブ電気接続箱として好適に用いられるものである。
【００１１】
本発明の電気接続箱の前記ケースは底壁と周壁とを有すると共に前記コネクタブロックの挿入側が開口したボックス形状とし、前記端子を突設した回路基板を前記開口から挿入して底壁の内面側に内嵌固定していると共に、前記開口から前記ムービングプレートを挿入して、前記各端子孔に回路基板側の端子を貫通させている。
即ち、ケースは底壁と周壁を有する一体型とし、該ケースに回路基板を挿入し、底壁に沿った位置に固定している。該固定は、回路基板の外側面とケース内面に設けてロック爪と該ロック爪が係合するロック溝との係合でも良いし、他の固定手段を用いて固定してもよい。
【００１２】
前記一体型のケースに代えて、前記ケースは周壁を備え、前記コネクタブロックの挿入側および該挿入側との対向側が開口したボックス形状とし、前記対向側の開口を閉鎖するロアカバーを備え、
前記ロアカバーに前記回路基板を固定すると共に、該回路基板から突設した端子を前記端子孔に貫通させてムービングプレートを仮固定し、このムービングプレートと回路基板を取り付けた前記ロアカバーを前記ケースに組みつけてもよい。
【００１３】
前記積層する各コネクタはそれぞれ偏平な直方体状のコネクタハウジング内に、電線端末に接続したメス端子を一列に収容し、前記コネクタハウジングの外面の四隅両面に凹凸部を設け、隣接するコネクタハウジングの凹凸部を嵌合して積層状態として組み付け、該組み付け状態で前記電線端末の端子が縦横方向に間隔をあけて配置している一方、
前記回路基板はプリントサーキッドボード（ＰＣＢ）からなり、該回路基板の印刷導体パターンからピン状端子を縦横方向に間隔をあけて突設している構成とすることが好ましい。
【００１４】
前記のように、本発明では、複数のコネクタを積層している積層型のコネクタブロックは、ケース内部に個別に挿入してケースと夫々ロック結合するのではなく、積層するコネクタ同士は、そのコネクタハウジングに設けた凹凸部を嵌合して一体的に組みつけており、この予めブロックとしたコネクタブロックをケース内に挿入して、前記ＰＣＢから突設したピン状端子と接続している。
本発明で、ＰＣＢから突出する細長いピン状端子を前記ムービングプレートで精度よく位置決め保持していることにより、端子に変形や損傷を発生させることなく、該ピン状端子をコネクタブロック内の各端子と一括接続を行うことができる。
【００１５】
本発明では、前記コネクタブロックの挿入側の開口を囲む周壁で且つコネクタブロックの積層方向と対応するケースの両側周壁に、薄肉ヒンジ部を介して押さえ部を突設し、前記コネクタブロックをケース内に挿入後に前記押さえ部を回転させて前記コネクタブロックの電線接続側の先端面を係止していることが好ましい。
【００１６】
前記構成とすると、コネクタブロックに接続される電線群と干渉することなく、コネクタブロックの各コネクタをケースより脱落することなく確実に保持できる。かつ、押さえ部をケースと一体成形していることで、部品点数の削減を図ることができる。
【００１７】
なお、別部品でコネクタブロックの押さえブロックを設け、ケースの構造を簡単にしてもよい。その場合、前記ケース内に挿入したコネクタブロックに、その電線接続側の先端側にコ字状の押さえ材を横断的に取り付け、該押さえ材の両側に設けたロック部を前記ケースの外面に設けた被ロック部と結合している。
【発明の効果】
【００１８】
上述したように、本発明の電気接続箱では、ケース内部に収容固定する回路基板から突設する端子を、ムービングプレートの各端子孔に通して位置決め保持しながら、コネクタブロックの各コネクタの端子収容室内に挿入しているため、回路基板から突出した端子と積層型コネクタの端子とを同時に一括して接続する際に、回路基板から突出した端子に変形や損傷を発生させることなくコネクタ側の端子と接続することができる。
【００１９】
さらに、ケース内部に嵌合したコネクタブロックを、コネクタブロックと接続する電線群と干渉することなく、前記ケースと一体的に設けた押さえ部あるいは別体の押さえ材を用いてコネクタブロックをケースに固定することができる。
【発明を実施するための最良の形態】
【００２０】
以下、本発明の実施形態を図面を参照して説明する。
図１乃至図４に本発明の電気接続箱１０の第１実施形態を示す。
図１は本実施形態の電気接続箱１０の分解斜視図を示し、該電気接続箱１０は複数のコネクタ１１を積層した積層型のコネクタブロック１２と、該コネクタブロック１２が挿入係止されるケース１３と、ケース１３内に装着してコネクタブロック１２と接続する回路基板１４と、回路基板１４と積層型コネクタブロック１２との間に移動可能に配置しているムービングプレート１５とを備えている。
【００２１】
本発明の電気接続箱１０は、ケース１３内に多数のオス端子１４ｂを突設した回路基板１４を収容固定し、多数の端子孔１５ａを設けたムービングプレート１５をケース１３内に挿入し、この状態で前記コネクタブロック１２をケース１３内に挿入して、該コネクタブロック１２と共にムービングプレート１５を回路基板１４側に押し込むことで、回路基板１４から突設したオス端子１４ｂを、まず、ムービングプレート１５の端子孔１５ａを通して位置決め保持し、この状態でコネクタブロック１２の各コネクタ１１の端子収容室内に挿入して、コネクタ側の端子と接続している。
前記電気接続箱１０はサブ電気接続箱とし、大型のメイン電気接続箱（図示せず）の内部に組み込むものである。
【００２２】
前記各部材の構成を、以下に、詳述する。
前記ケース１３は、図１に示すように、底壁１３ａから四角枠状の周壁１３ｂを突設しており、コネクタブロック１２の挿入側を開口１３ｍとしたボックス形状としている。このケース１３には開口１３ｍから回路基板１４を挿入し、ケース１３の底部側にセットした状態で、ケース１３の内部の水平断面における全面に回路基板１４を横架した状態で固定している。
挿入するコネクタブロック１２のコネクタ１１の積層方向Ｘに対応するケース１３の両側周壁を第１周壁１３ｂ−１と第２周壁１３ｂ−２とすると、該第１周壁１３ｂ−１と第２周壁１３ｂ−２内面に、各コネクタ１１の両端部１１ｂを嵌合する上下に延在した凹部１３ｅを並列して設けている。他方の対向する第３周壁１３ｂ−３、第４周壁１３ｂ−４には、後述するムービングプレート１５の突起部１５ｂと対向する位置に、該突起部１５ｂと嵌合する嵌合部１３ｆを設けている。
【００２３】
ケース１３のコネクタブロック１２の挿入側の開口１３ｍを囲む第１周壁１３ｂ−１と第２周壁１３ｂ−２の上端には、図１および図２（Ａ）（Ｂ）に示すように、薄肉ヒンジ部１３ｉを介して押さえ部１３ｊを突設している。コネクタブロック１２をケース１３内に挿入した後、該押さえ部１３ｊを回転させてコネクタブロック１２の電線接続側の先端面１２ｂを係止している。第４周壁１３ｂ−４の外面にはロック部１３ｋを設け、該ロック部１３ｋをメイン電気接続箱の内壁に設けた被ロック部とロック係合させるようにしている。
【００２４】
ケース１３の底壁１３ａ内面には、図２（Ａ）（Ｂ）に示すように、回路基板１４を配置する載置台１３ｃを設けていると共に、第３周壁１３ｂ−３、第４周壁１３ｂ−４の内面側下部にはロック溝１３ｄを設け、該ロック溝１３ｄで後述する回路基板１４のロック爪１４ｃを係止し、回路基板１４を底壁１３ａに内嵌固定している。
【００２５】
前記回路基板１４は、プリントサーキッドボード（ＰＣＢ）からなり、矩形状の該回路基板本体１４ａには印刷導体パターン（図示せず）を備え、該印刷導体パタ−ンに設けた各端子穴に細長いピン状のオス端子１４ｂを挿入した半田付けで固定し、これらオス端子１４ｂを間隔をあけて回路基板本体１４ａから突設している。回路基板１４の周壁外面からは所定間隔をあけて、ケース１３のロック溝１３ｄと係合するロック爪１４ｃを突出させている。
本実施形態では、回路基板１４のオス端子１４ｂは、コネクタ積層方向Ｘに１０本、端子配列方向Ｙに１０本設けている。
ケース１３内にムービングプレート１５およびコネクタブロック１２を組み付ける前に、前記構成の回路基板１４を開口１３ｍから挿入し、ケース１３のロック溝１３ｄにロック爪１４ｃを係合して、該回路基板１４をケース１３の底壁１３ａに内嵌固定している。
回路基板１４をケース１４内に固定した状態で、オス端子１４ｂは開口１３ｍに向けて突出させている。
【００２６】
前記ムービングプレート１５は矩形平板状の樹脂成形品からなり、回路基板１４から突設した各オス端子１４ｂを貫通させる端子孔１５ａを格子状に設けている。該各端子孔１５ａは、回路基板１４から突設した各オス端子１４ｂを貫通させて位置決め保持し、コネクタブロック１２側へと突出させるものである。
該端子孔１５ａの上下端縁に、図３に示すように、誘い部として広がるテーパー部１５ｃを設け、回路基板１４のオス端子１４ｂの先端の挿入を容易としている。
また、ムービングプレート１５の周壁１３ｂには全周に亘って外方に突出する矩形状の突起部１５ｂを間隔をあけて設けている。
前記ムービングプレート１５は、回路基板１４を装着したケース１３の開口１３ｍから挿入していき、図４（Ａ）に示すように、回路基板１４のオス端子１４ｂの先端を端子孔１５ａに挿入する。この状態で、ムービングプレート１５をケース１３の嵌合部１３ｆに設けている第１爪部１３ｇと第２爪部１３ｈとで形成される仮係止位置に保持している。
【００２７】
前記コネクタブロック１２は、偏平な直方体状の各コネクタ１１の厚さ方向をコネクタ積層方向Ｘとし、コネクタ１１を積層して形成している。
各コネクタ１１は、図１に示すように、コネクタハウジング１１ｃとコネクタハウジング１１ｃに収容しているメス端子１１ａとを備え、該メス端子は電線Ｗの端末に接続している。コネクタハウジング１１ｃの長さ方向を端子配列方向Ｙとして、該端子配列方向Ｙに沿ってメス端子１１ａを収容する端子収容室１１ｄを設けている。
各端子収容室１１ｄには、ムービングプレート１５の端子孔１５ａを貫通した回路基板１４のオス端子１４ｂが挿入し、内部に係止されているメス端子１１ａに接続される。
【００２８】
コネクタハウジング１１ｃの一方側の外面の四隅には凹部１１ｆを設けると共に、他方側の外面の四隅に凸部１１ｇを設け、隣接するコネクタハウジング１１ｃの凹部１１ｆと凸部１１ｇを嵌合して積層状態として組み付け、該組み付け状態で前記電線Ｗの端末のメス端子１１ａを縦横方向に間隔をあけて配置している。該コネクタ１１を積層して形成したコネクタブロック１２の回路基板側の下面は、コネクタを組み付ける際のムービングプレート１５の押圧面１２ａとしている。
前記コネクタ１１の端子収容室１１ｄのオス端子挿入側の開口端縁は、図３に示すように、内方に向かって傾斜するテーパー部１１ｅとしており、オス端子１４ｂを挿入しやすくしている。
本実施形態では、コネクタ１１を１０個積層してコネクタブロック１２としている。
【００２９】
本発明の電気接続箱の組み立ては、図４（Ａ）に示すように、ケース１３に回路基板１４を装着し、ムービングプレート１５の端子孔１５ａに回路基板１４のオス端子１４ｂの先端を挿入して位置決めした状態で、該ケース１３の開口１３ｍからコネクタブロック１２の押圧面１２ａを回路基板１５側に向けて挿入している。
図４（Ｂ）に示すように、コネクタブロック１２の押圧面１２ａでムービングプレート１５の上面を押圧していくと、図４（Ｃ）に示すように、ムービングプレート１５の端子孔１５ａにテーパー穴１５ｃから回路基板１４のオス端子１４ｂが貫通し、ムービングプレート１５によりオス端子１４ｂが位置決め保持された状態で、コネクタブロック１２の各コネクタ１１の端子収容室１１ｄにオス端子１４ｂが挿入して、その内部に係止されているメス端子１１ａと接続する。
このように、コネクタブロック１２で一体化した多数のコネクタ１１の各端子収容室１１ｄ内に回路基板１４から突設した多数のオス端子１４ｂを一括して同時に接続している。
【００３０】
前記構成とすると、ケース１３に内部に固定される回路基板１４のコネクタ嵌合側にムービングプレート１５を移動可能に配置し、回路基板１４から突出させたオス端子１４ｂをムービングプレート１５の端子孔１５ａに挿通させて各オス端子１５ａの位置決め保持をしている。よって、回路基板１４から突出して積層型のコネクタ１１と接続する多数のオス端子１４ｂを簡単且つ精度良く位置決め保持することができる。
また、多数のオス端子１４ｂをムービングプレート１４で位置決め保持していることで、積層する多数のコネクタ１１を予め一体化して、１つのコネクタブロック１２とした状態でケース１３の内部に挿入して、一括でオス端子１４ｂとコネクタ１１とを接続でき、組付作業を簡単とすることができる。
さらに、コネクタブロック１２と接続する電線Ｗと干渉することなく、ケース１３の内部に嵌合したコネクタブロック１２を、ケース１３と一体的に設けた押さえ部１３ｊを用いてコネクタブロック１２をケース１３に固定することができる。
【００３１】
図５および図６に第２実施形態の電気接続箱５０を示す。
本実施形態の電気接続箱５０は、ケース５３のコネクタブロック１２の挿入側および該挿入側との対向側を開口５３ｍ、５３ｎとしたボックス形状とし、該挿入側との対向側の開口５３ｎを閉鎖するロアカバー５６を備え、押さえ材５７をケース５３と別体としている構成を第１実施形態と相違させている。
【００３２】
前記ケース５３は四角枠状の周壁５３ｂを備えており、ケース周壁５３ｂの外面下端にはロック部５３ｒを突設させ、後述するロアカバー５６の被ロック部５６ｄとロック結合する。ケース周壁５３ｂの内面下端には、図６（Ｂ）に示すように、全周に亘って回路基板１４をロアカバー５６の周壁５６ｂの上面と挟み込んで固定する挟持部５３ｓを設けている。
ロアカバー５６は、回路基板１４を配置する載置台５６ａを設けた底壁５６ｂと、該底壁５６ｂから突設させた周壁５６ｃとを備えており、周壁５６ｃの内面上端には、ケース５３のロック部５３ｒとロック結合する被ロック部５６ｄを設けている。さらに、ロアカバー５６の周壁５６ｃの内面には所定位置にロック溝（図示せず）を設け、回路基板１４のロック爪１４ｃを係止している。
【００３３】
前記回路基板１４を前記ロアカバー５６の載置台５６ａに配置し、ロアカバー５６のロック溝（図示せず）に回路基板１４のロック爪１４ｃを係合して、ロアカバー５６に回路基板１４を固定する。ついで、ムービングプレート１５をケース５３に挿入して仮係止し、回路基板１４を取り付けたロアカバー５６を、ケース５３の開口５３ｎに組み付け、ケース５３の挟持部５３ｓとロアカバー５６の載置台５６ａの上面で回路基板１４を挟み込み、ケース５３のロック部５３ｒとロアカバー５６の被ロック部５６ｄとをロック結合する。ケース５３へのコネクタブロック１２の組み付けについては第１実施形態と同様とする。
【００３４】
ケース５３内に挿入したコネクタブロック１２には電線Ｗの接続側の先端側に一対のコ字状の押さえ材５７、５７をコネクタ積層方向Ｘに横断的に取り付け、該押さえ材５７、５７の両側に設けたロック部５７ａをケース５３の外面に設けた被ロック部５３ｐとロック結合している。
【００３５】
前記構成とすると、予めロアカバー５６に回路基板１４を固定し、回路基板１４のオス端子１４ｂの先端をムービングプレート１５の端子孔１５ａに挿入して、確実にオス端子１４ｂを位置決めしている状態でケース５３に組み付けるため、確実にロアカバー５６に回路基板１４を固定してコネクタ１１と接続することができ、コネクタ１１のメス端子１１ａと回路基板１４のオス端子１４ｂとの半嵌合を防ぐことができる。さらに、ロアカバーをケースと別体としているため、ロアカバー５６に固定している回路基板１４のオス端子１４ｂの先端をムービングプレート１５の多数の端子孔１５ａに挿入する作業を容易とすることができる。
なお、他の構成及び作用効果は第１実施形態と同様のため、同一の符号を付して説明を省略する。
【図面の簡単な説明】
【００３６】
【図１】第１実施形態の電気接続箱の分解斜視図である。
【図２】第１実施形態の電気接続箱を示す図であり、（Ａ）は回路基板とム−ビングプレ−をケースに組み付けた状態の平面図、（Ｂ）は（Ａ）のＡ−Ａ線断面図である。
【図３】ムービングプレートでオス端子位置決めした回路基板にコネクタを組み付けた状態の要部を拡大した断面図である。
【図４】（Ａ）はケースにコネクタブロックを挿入している状態を示す断面図、（Ｂ）コネクタブロックがムービングプレートを押圧している状態を示す断面図、（Ｃ）はコネクタの挿入が完了した状態の断面図である。
【図５】第２実施形態を示す電気接続箱の分解斜視図である。
【図６】第２実施形態の電気接続箱を示す図であり、（Ａ）はムービングプレートでオス端子を位置決めした回路基板をケースに組み付けた状態の平面図、（Ｂ）は（Ａ）のＢ−Ｂ線断面図である。
【図７】従来例を示す図である。
【符号の説明】
【００３７】
１０、５０  電気接続箱
１１  コネクタ
１１ａ  メス端子
１１ｃ  コネクタハウジング
１１ｆ  凹部
１１ｇ  凸部
１２  コネクタブロック
１３、５３  ケース
１３ａ  底壁
１３ｂ  周壁
１３ｉ  薄肉ヒンジ部
１３ｊ  押さえ部
５３ｐ  被ロック部
１４回路基板
１４ｂオス端子
１５  ムービングプレート
１５ａ端子孔
５６  ロアカバー
５７  押さえ材
５７ａ  ロック部
Ｗ  電線
【図１】
2008131843.tif 000003
【図２】
2008131843.tif 000004
【図３】
2008131843.tif 000005
【図４】
2008131843.tif 000006
【図５】
2008131843.tif 000007
【図６】
2008131843.tif 000008
【図７】
2008131843.tif 000009